(57)【要約】空気調和機の室外機（１００）が提供される。室外機（１００）は、筐体（１０９）と、筐体（１０９）内に配置されるファン（１３０）と、ファン（１３０）の側方に配置される電装基板（１２０）とを備える。電装基板（１２０）が、鉛直方向に起立した状態からファン（１３０）の方向へ傾けられた状態で保持される。
2019239630.tif 000002
【特許請求の範囲】
【請求項１】
空気調和機の室外機であって、
筐体と、
前記筐体内に配置されるファンと、
前記ファンの側方に配置される電装基板とを備え、
前記電装基板が、鉛直方向に起立した状態から前記ファンの方向へ傾けられた状態で保持される、空気調和機の室外機。
【請求項２】
前記ファンの側方に立設され、前記ファンのスペースと圧縮機のスペースと仕切るための仕切り部材と、
前記仕切り部材に保持されつつ、前記電装基板を前記ファンの方向へ傾けられた方向に保持する保持部材と、をさらに備え、
前記保持部材は、前記電装基板が前記電装基板の面と平行に斜め上方にスライド可能に構成されている、請求項１に記載の空気調和機の室外機。
【請求項３】
前記保持部材には、前記電装基板の表面側の熱を裏面に排出するための第１の排気口が形成される、請求項２に記載の空気調和機の室外機。
【請求項４】
前記第１の排気口は、前記ファンの側方よりも後側または前側に形成されている、請求項３に記載の空気調和機の室外機。
【請求項５】
前記電装基板の表面側の、前記電装基板から離間した位置に配置されるリアクターと、
前記電装基板の表面と前記リアクターとを仕切るための遮蔽版と、をさらに備える、請求項２から４のいずれか１項に記載の空気調和機の室外機。
【請求項６】
前記保持部材には、前記リアクター近傍の熱を前記ファン側に排出するための第２の排気口が形成されている、請求項５に記載の空気調和機の室外機。
【請求項７】
前記遮蔽版には、前記リアクターよりも下方に複数の穴が形成される、請求項６に記載の空気調和機の室外機。
【発明の詳細な説明】
【技術分野】
【０００１】
本発明は、空気調和機の室外機に関する。
【背景技術】
【０００２】
空気調和機の室外機は、筐体内に、熱交換器、送風機などを収納し、熱交換器に外気を供給して、冷凍サイクル内の冷媒との熱交換を行っている。室外機に関する各種の技術が開示されている。【０００３】
例えば、特開２０１４−４３９７４号公報（特許文献１）には、冷凍装置の室外ユニットが開示されている。特許文献１によると、冷凍装置の室外ユニットの内部空間は、仕切板によって、室外ファンが配置される送風機室と電装品が配置される機械室とに区画される。電装品ケーシングは、第３側面と、上面と、突出部と、有する。第３側面は、機械室側に対向して電装品の側方を覆う。上面は、電装品との間に隙間をあけつつ電装品の上方を覆う。突出部は、上面の近傍に設けられ第３側面よりも送風機室側に突出する。電装品ケーシングの第３側面と、突出部とによって、機械室と送風機室とを連通する少なくとも１の下向きの開口が形成されている。【０００４】
また、特開平７−１９８１７１号公報（特許文献２）には、冷凍装置の室外機が開示されている。特許文献２によると、金属製（鋼板）の側板の上部に窓孔を形成する場合に、略コ字型に切欠いて舌片を形成し、舌片の下部は側板からは切り離さずに側板の内側に折曲する。これにより側板の窓孔を開口することができると同時に端子盤、アース端子を実装するための舌片を形成できる。したがって従来端子盤等を実装するために別途使用していた金属製の取付板は不要となる。【０００５】
また、特開２０１７−９２６３号公報（特許文献３）には、空気調和機が開示されている。特許文献３によると、内部に電装品箱を有する室外機を備えた空気調和機であって、室外機の本体の側面に電装品箱内に外気を導入するための導入口が設けられ、本体の側面に導入口を覆うように電装カバーが配置され、電装カバーは上部に導入口に導入する空気を取り込むための冷却用吸込口が配置され、下部に冷媒配管を通すための開口部が配置され、冷却用吸込口と導入口の間に、冷却用吸込口から取り込まれた外気を衝突させる内カバーが配置され、電装カバーの内部を、冷却用吸込口がある上部と開口部がある下部に仕切る仕切板が電装カバーの内面と接するように配置され、仕切板の上面と電装カバーと本体の側面に囲まれた領域に、水が貯まる貯留領域が形成され、仕切板に、貯留領域に溜まった水を排水するための排水孔が設けられる。【０００６】
また、特開２０１１−２１７７６号公報（特許文献４）には、室外機が開示されている。特許文献４によると、この室外機は、側板及び天板を有するケーシングと、ケーシング内に収容される端子台と、端子台の近傍位置で開口する配線用開口部と、配線用開口部を覆う閉鎖弁カバーとを備えている。閉鎖弁カバーの上端部には、天板の縁部の外側に配置される外側壁部と、天板の縁部の内側に配置される内側壁部と、外側壁部と内側壁部との間に設けられる凹部とが形成されている。そして、配線用開口部の上方の位置において、天板の縁部が閉鎖弁カバーの上端部に形成される凹部に挿入され、且つ、側板の配線用開口部の上側部分が、内側壁部の内側に配置される。
【先行技術文献】
【特許文献】
【０００７】
【特許文献１】特開２０１４−４３９７４号公報
【特許文献２】特開平７−１９８１７１号公報
【特許文献３】特開２０１７−９２６３号公報
【特許文献４】特開２０１１−２１７７６号公報
【発明の概要】
【発明が解決しようとする課題】
【０００８】
本発明の一態様においては、効率的に電装部品を配置する技術を提供することを目的とする。
【課題を解決するための手段】
【０００９】
本発明の一態様においては、空気調和機の室外機が提供される。室外機は、筐体と、筐体内に配置されるファンと、ファンの側方に配置される電装基板とを備える。電装基板が、鉛直方向に起立した状態からファンの方向へ傾けられた状態で保持される。
【発明の効果】
【００１０】
本発明の一局面においては、効率的に電装部品を配置する技術が提供される。
【図面の簡単な説明】
【００１１】
【図１】第１の実施の形態にかかる空気調和機の室外機の外観を示す斜視図である。
【図２】第１の実施の形態にかかる空気調和機の室外機の外観を示す正面図である。
【図３】第１の実施の形態にかかる空気調和機の室外機の正面パネルと上面パネルとを取り外した状態を示す正面図である。
【図４】第１の実施の形態にかかる空気調和機の室外機の正面パネルと上面パネルと遮蔽板とを取り外した状態を示す斜視図である。
【図５】第１の実施の形態にかかる遮蔽板近傍を示す斜視図である。
【図６】第１の実施の形態にかかる保持ホルダーと電装基板の枠体と電装基板とを示す下方斜視図である。
【図７】第１の実施の形態にかかるカバーを示す斜視図である。
【図８】第１の実施の形態にかかる空気調和機の室外機の上面パネルを取り外した状態を示す平面図である。
【図９】第１の実施の形態にかかる電装基板や遮蔽板近傍を示す斜視図である。
【図１０】第１の実施の形態にかかる外カバーの内側を示す斜視図である。
【図１１】第１の実施の形態にかかる側面パネルの内側を示す斜視図である。
【図１２】第１の実施の形態にかかる側面パネルの外側を示す斜視図である。
【発明を実施するための形態】
【００１２】
以下、図面を参照しつつ、本発明の実施の形態について説明する。以下の説明では、同一の構成部材には同一の符号を付してある。それらの名称および機能も同じである。したがって、それらについての詳細な説明は繰り返さない。
【００１３】
〔第１の実施形態〕
図１および図２を参照して、室外機１００は、筐体１０９と、筐体１０９の内部のファンや圧縮機や熱交換機などを含む。筐体１０９は、正面パネル１０１、上面パネル１０２、側面パネル１０３、背面パネル、底面パネルなどによって構成される。
【００１４】
図３および図４を参照して、本実施の形態においては、筐体１０９内において、ファン１３０の側方に、仕切り板１１１が立設される。仕切り板１１１は、ファン１３０が配置されるスペースと、圧縮機やアキュムレータや膨張弁などが配置されるスペース１０８とを仕切るための部材である。
【００１５】
仕切り板１１１の上部には、電装基板１２０が配置される。本実施の形態においては、電装基板１２０は、電装基板１２０の面が、鉛直方向からファン１３０の方向へ傾いた状態で保持される。電装基板１２０の面は、鉛直方向から１０°から６０°程度傾けることが好ましく、作業性やスペースの効率性を鑑みると１５°から４０°程度傾けることが好ましい。
【００１６】
より詳細には、電装基板１２０の外周は枠体１２１に嵌められる。そして、電装基板１２０と枠体１２１とを斜め方向にスライド可能に保持するための保持ホルダー１１２が、鉛直方向からファン１３０の方向へ傾いた状態で、仕切り板１１１の上部に固設される。本実施の形態においては、保持ホルダー１１２の下面は、カバー１１３で覆われている。
【００１７】
本実施の形態においては、仕切り板１１１の上端部が、ファン１３０の回転軸の右方よりも少し上方まで達する。そして保持ホルダー１１２は、その下端部が仕切り板１１１の上端部に固設され、上端部は当該ファン１３０の右上方まで達する。なお、電装基板１２０が保持ホルダー１１２の一番奥つまり一番下まで差し込まれた状態で、電装基板１２０の上端部が、ファン１３０の右上方に位置するように構成されている。
【００１８】
電装基板１２０には、ファン１３０の反対面に各種の電装部品、たとえば主な配線やマイコンやコネクタなどが取り付けられる。つまり、本実施の形態においては、電装基板１２０は、ファン１３０とは反対側の面が、表面となる。そして、電装基板１２０の裏面には、複数の放熱板１２５，１２５・・・が立設される。これによって、電装基板１２０の表面で発生した熱を、放熱板１２５，１２５・・・に伝導させて、ファン１３０の風によって効率的に放熱することができる。
【００１９】
このように、本実施の形態においては、電装基板１２０を垂直方向からファン１３０に向けて傾けて、しかも斜め上方にスライド可能に構成されている。なお、電装基板１２０の傾き加減に関しては、上述したように、サービスマンが室外機１００の上方から電装基板１２０の表面を確認できる程度、かつファン１３０と干渉しない程度であることが好ましい。これによって、室外機１００内のスペースを有効活用しながら、サービスマンなどが上面パネル１０２を開けて、電装基板１２０を修理したり、電装基板１２０の表面のコネクタから容易に配線を取り外したり、電装基板１２０自体を斜め上方へスライドさせて室外機１００から取り外したりすることが可能になる。
【００２０】
なお、本実施の形態においては、図３〜図５に示すように、電装基板１２０の右斜め上方にリアクター１２９が配置される。そして、電装基板１２０とリアクター１２９との間に遮蔽板１２８が配置される。これによって、リアクター１２９で発生した熱が電装基板１２０の表面に流れ込みにくくなる。本実施の形態においては、遮蔽板１２８は、上部遮蔽板１２８Ａと、下部遮蔽板１２８Ｂとを含む。
【００２１】
より詳細には、遮蔽板１２８は、電装基板１２０の空間とリアクター１２９近傍の空間の間を遮るだけでなく、電装基板１２０の表面のスペースの、室外機１００における背面側や正面側も遮るように構成されている。そして、図６に示すように、枠体１２１または保持ホルダー１１２には、遮蔽板１２８の内側、すなわち電装基板１２０の表面側の空気がファン１３０の方へ流れるための排気口１１２Ｘ，１１２Ｘ・・・が形成されるとともに、遮蔽板１２８の背面側の空気、すなわちリアクター１２９側の空気がファン１３０の方へ流れるための排気口１１２Ｙが形成される。これによって、リアクター１２９で発生した熱が電装基板１２０の表面に流れ込みにくくなり、大部分をそのままファン１３０側へと流すことが可能になる。
【００２２】
本実施の形態においては、保持ホルダー１１２が、カバー１１３で覆われている。そして、図７および図８に示すように、保持ホルダー１１２に、通風孔１１３Ｘ，１１３Ｘ・・・が形成される。そして、排気口１１２Ｘ，１１２Ｘ・・・から排出される電装基板１２０で発生した熱を保持する空気や、排気口１１２Ｙから排出されるリアクター１２９で発生した熱を保持する空気が、通風孔１１３Ｘ、１１３Ｘ・・・からファン１３０側に流れる。
【００２３】
より詳細には、本実施の形態においては、図８に示すように、排気口１１２Ｘ、１１２Ｘ・・・や排気口１１２Ｙや通風孔１１３Ｘ，１１３Ｘ・・・は、室外機１００の前後方向において、ファン１３０よりも前方または後方に形成される。換言すれば、室外機１００の側面視において排気口１１２Ｘ、１１２Ｘ・・・や排気口１１２Ｙや通風孔１１３Ｘ，１１３Ｘ・・・とファン１３０とが重ならないように位置する。これによって、仮にファン１３０によって水が側方に飛ばされても、電装基板１２０の表面に水が付着する可能性を低減することができる。
【００２４】
また、本実施の形態においては、図９に示すように、遮蔽板１２８は、下方から見て、門型形状に構成され、下方から電装基板１２０の表面に空気が流入するように構成されている。これによって、リアクター１２９で発生した熱を含む空気が、電装基板１２０の表面に流れ込みにくくなっている。
【００２５】
次に、側面カバー１５０について説明する。本実施の形態においては、図１や図１０に示すように、側面カバー１５０は、側面パネル１０３に取り付けられる。側面カバー１５０は、上部と比較して、下部１５０Ａが膨らんで形成され、下部１５０Ａの側方に開口部１５０Ｂが形成される。当該下部１５０Ａの内側において、室内機からの冷媒配管が室外機１００の二方弁や三方弁に連結される。
【００２６】
また、室内機からの信号線などは、下部１５０Ａの内側から上方に向けて延設される。信号線は、仕切り１５１，１５１の内側を上方へ伸びて、室外機１００の側面パネル１０３の上部から室外機１００内部まで達する。なお、仕切り１５１，１５１の間において、信号線の周りにシール材などを詰めることによって、信号線に沿って外気が室外機１００内に入りこむ可能性を低減することができる。
【００２７】
一方、図１１および図１２を参照して、側面パネル１０３は、その下部に、前述した冷媒配管を通すための開口部１０３Ａが形成され、その上に、信号線を通すための開口部１０３Ｂが形成される。
【００２８】
開口部１０３Ｂの内側には、端子台１４１が側面パネル１０３の内側面に取り付けられる。端子台１４１は、箱状に形成されて、側面パネル１０３の開口部１０３Ｂ側と、電装基板１２０側と、に開口部が構成される。端子台１４１は、側面パネル１０３を室外機１００の前面側と背面側に折り曲げた部分に固設されてもよい。また、端子台１４１のうちの、室外機１００の背面側が、リアクター１２９を保持する部材などに取り付けられてもよい。
【００２９】
また、本実施の形態においては、図１０に示すように、側面カバー１５０の内側のスペースのうちの、仕切り１５１，１５１の外側部分を開口部１５０Ｂから流れ込んだ外気が流れるように構成されている。そして、外気は、室外機１００の中に入ってからは、端子台１４１の外側を流れて、ファン１３０を通って室外機１００から排出される。
【００３０】
本実施の形態においては、端子台１４１の内側に端子盤１４２が配置されている。そして、端子台１４１や側面パネル１０３やリアクター１２９の保持部材などによって、端子盤１４２を通る信号線に水が付着しにくく構成されている。より詳細には、端子台１４１が図１１に示すようなボックス型形状である場合には、万一側面パネル１０３と上面パネル１０２の隙間から豪雨などによる水圧で水が浸入した場合でも、端子台１４１が充電部すなわち端子盤１４２を覆っているので、端子盤１４２に直接水分が付着する可能性を低減することができる。
【００３１】
また、本実施の形態においては、リアクター１２９で発生した熱が端子台１４１を通る空気に伝わりにくい構成となっている。より詳細には、側面カバーの開口部１５０Ｂ→側面カバー仕切り１５１の外側→端子台１４１の外側→リアクター１２９の近傍→ファン１３０の配置スペース、といった流れで外気を取り込むことにより、リアクター１２９の熱が下流側である送風機室のファン１３０側に引っ張られることになり、リアクター１２９より上流側にある端子盤１４２に熱が伝わりにくく構成されている。
【００３２】
〔第２の実施形態〕
上記のような構成に限らず、仕切り板１１１は、さらに別部材を介して、電装基板１２０を斜めに保持してもよい。あるいは、仕切り板１１１以外の部材によって、電装基板１２０を斜めに保持する形態であってもよい。
【００３３】
〔第３の実施形態〕
また、上述したように、遮蔽板１２８は、上部遮蔽板１２８Ａと、下部遮蔽板１２８Ｂとを含む。そして、遮蔽板１２８の下部は、図９に示すような完全に開口される形態に限らず、遮蔽板１２８に底面を設けて放熱用のパンチング穴をあけてもよい。この場合は、パンチング穴をリアクター１２９よりも下方に形成することが好ましい。これによって、遮蔽板１２８の下方からの水の侵入を低減しつつ、パンチング穴から、リアクター１２９を通過していない空気を電装基板１２０の表面に送り込むことができる。
【００３４】
〔まとめ〕
上記の実施の形態においては、空気調和機の室外機１００が提供される。室外機１００は、筐体１０９と、筐体１０９内に配置されるファン１３０と、ファン１３０の側方に配置される電装基板１２０とを備える。電装基板１２０が、鉛直方向に起立した状態からファン１３０の方向へ傾けられた状態で保持される。
【００３５】
好ましくは、室外機１００は、ファン１３０の側方に立設され、ファン１３０のスペースと圧縮機のスペースと仕切るための仕切り部材１１１と、電装基板１２０をファン１３０の方向へ傾けられた方向に保持する保持部材１１２（１１３）と、をさらに備える。保持部材１１２（１１３）は、電装基板１２０が電装基板１２０の面と平行に斜め上方にスライド可能に構成されている。
【００３６】
好ましくは、保持部材１１２には、電装基板１２０の表面側の熱を裏面に排出するための第１の排気口１１２Ｘ，１１２Ｘが形成される。
【００３７】
好ましくは、第１の排気口１１２Ｘ，１１２Ｘは、ファン１３０の側方よりも後側または前側に形成されている。
【００３８】
好ましくは、室外機１００は、電装基板１２０の表面側の、電装基板１２０から離間した位置に配置されるリアクター１２９と、電装基板１２０の表面とリアクター１２９とを仕切るための遮蔽板１２８と、をさらに備える。
【００３９】
好ましくは、保持部材１１２には、リアクター１２９近傍の熱をファン１３０側に排出するための第２の排気口１１２Ｙ，１１２Ｙが形成されている。
【００４０】
好ましくは、遮蔽板１２８には、リアクター１２９よりも下方に複数の穴が形成される。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００４２】
１００    ：室外機
１０１    ：正面パネル
１０２    ：上面パネル
１０３    ：側面パネル
１０３Ａ  ：下部開口部
１０３Ｂ  ：上部開口部
１０８    ：スペース
１０９    ：筐体
１１１    ：仕切り板
１１２    ：保持ホルダー
１１２Ｘ  ：第１の排気口
１１２Ｙ  ：第２の排気口
１１３    ：カバー
１１３Ｘ  ：通風孔
１２０    ：電装基板
１２１    ：枠体
１２５    ：放熱板
１２８    ：遮蔽板
１２８Ａ  ：上部遮蔽板
１２８Ｂ  ：下部遮蔽板
１２９    ：リアクター
１３０    ：ファン
１４１    ：端子台
１４２    ：端子盤
１４３    ：仕切り
１５０    ：側面カバー
１５０Ａ  ：下部
１５０Ｂ  ：開口部
１５１    ：仕切り
【図１】
2019239630.tif 000003
【図２】
2019239630.tif 000004
【図３】
2019239630.tif 000005
【図４】
2019239630.tif 000006
【図５】
2019239630.tif 000007
【図６】
2019239630.tif 000008
【図７】
2019239630.tif 000009
【図８】
2019239630.tif 000010
【図９】
2019239630.tif 000011
【図１０】
2019239630.tif 000012
【図１１】
2019239630.tif 000013
【図１２】
2019239630.tif 000014
【国際調査報告】
2019239630.tif 000015
2019239630.tif 000016
2019239630.tif 000017
2019239630.tif 000018